(57)【要約】本発明は、プリズム体と、第１の撮像部と、生体に可視光を照射する可視光源とを有し、前記プリズム体は、生体と接触する生体接触面と、前記生体接触面に対向し、概平行となる位置に形成された撮像面と、前記生体接触面と前記撮像面とに接し、前記生体接触面で反射した光を前記撮像面に向けて全反射する反射面とを備え、前記反射面は、前記撮像面から前記反射面を経て前記生体接触面に到達する光路において、前記生体接触面にて前記プリズム体内からの光が全反射する角度に設けられ、前記第１の撮像部は、前記可視光源から照射された光が前記生体接触面に接触している生体に反射された生体反射光と、前記生体反射光が前記反射面に反射された反射面反射光とを撮像する認証装置である。
2014119503.tif 000002
【特許請求の範囲】
【請求項１】
プリズム体と、第１の撮像部と、生体に可視光を照射する可視光源とを有し、
前記プリズム体は、
生体と接触する生体接触面と、
前記生体接触面に対向し、概平行となる位置に形成された撮像面と、
前記生体接触面と前記撮像面とに接し、前記生体接触面で反射した光を前記撮像面に向けて全反射する反射面と
を備え、
前記反射面は、前記撮像面から前記反射面を経て前記生体接触面に到達する光路において、前記生体接触面にて前記プリズム体内からの光が全反射する角度に設けられ、
前記第１の撮像部は、前記可視光源から照射された光が前記生体接触面に接触している生体に反射された生体反射光と、前記生体反射光が前記反射面に反射された反射面反射光とを撮像する
認証装置。
【請求項２】
前記プリズム体は、
前記生体接触面と前記撮像面とに概垂直に接し、前記反射面に対向する位置に形成された対向面を備え、
前記対向面の少なくとも一部には黒色が塗布又は黒板が備え付けられている
請求項１に記載の認証装置。
【請求項３】
前記反射面には、ミラーコートが施されている
請求項１又は請求項２に記載の認証装置。
【請求項４】
前記生体に赤外光を照射する赤外光源と、
前記生体を透過した赤外光を撮像する第２の撮像部と
を備える請求項１から請求項３のいずれかに記載の認証装置。
【請求項５】
前記第１の撮像部の前面に赤外光カットする可視光透過フィルターを配置し、
前記第２の撮像部の前面に可視光カットする赤外光透過フィルターを配置する
請求項４に記載の認証装置。
【請求項６】
前記生体反射光を撮像した画像が偽造確認用の自然画像であり、
前記反射面反射光を撮像した画像が生体認証用のコントラスト画像である
請求項１から請求項５のいずれかに記載の認証装置。
【請求項７】
生体認証用のプリズム体であって、
生体と接触する生体接触面と、
前記生体接触面に対向し、概平行となる位置に形成された撮像面と、
前記生体接触面と前記撮像面とに接し、前記生体接触面で反射した光を前記撮像面に向けて全反射する反射面と
を備え、
前記反射面は、前記撮像面から前記反射面を経て前記生体接触面に到達する光路において、前記生体接触面にて前記プリズム体内からの光が全反射する角度に設けられている
生体認証用のプリズム体。
【請求項８】
前記プリズム体は、
前記生体接触面と前記撮像面とに概垂直に接し、前記反射面に対向する位置に形成された対向面を備え、
前記対向面の少なくとも一部には黒色が塗布又は黒板が備え付けられている
請求項７に記載の生体認証用のプリズム体。
【請求項９】
前記反射面には、ミラーコートが施されている
請求項７又は請求項８に記載の生体認証用のプリズム体。
【請求項１０】
生体と接触する生体接触面と、
前記生体接触面に対向し、概平行となる位置に形成された撮像面と、
前記生体接触面と前記撮像面とに接し、前記生体接触面で反射した光を前記撮像面に向けて全反射する反射面と
を備え、前記反射面は、前記撮像面から前記反射面を経て前記生体接触面に到達する光路において、前記生体接触面にて前記プリズム体内からの光が全反射する角度に設けられているプリズム体の前記生体接触面に生体を接触させ、
前記生体に可視光を照射し、
前記撮像面を透過する、前記可視光源から照射された光が前記生体接触面に接触している生体に反射された生体反射光と、前記生体反射光が前記反射面に反射された反射面反射光とを、撮像する
認証方法。
【請求項１１】
前記プリズム体は、
前記生体接触面と前記撮像面とに概垂直に接し、前記反射面に対向する位置に形成された対向面を備え、
前記対向面の少なくとも一部には黒色が塗布又は黒板が備え付けられている
請求項１０に記載の認証方法。
【請求項１２】
前記反射面には、ミラーコートが施されている
請求項１０又は請求項１１に記載の認証方法。
【発明の詳細な説明】
【技術分野】
【０００１】
本発明は、認証装置、認証用プリズム体及び認証方法に関する。
【背景技術】
【０００２】
生体特徴の一つである指紋を用いて個人を認証する為の生体認証装置は、三角プリズム（例えば、特許文献１）による全反射臨界角を利用した方式が広く利用されている。この方式は、皮膚表面の凹凸（隆線部及び谷線部）を読み取るものであり、高いコントラストの指紋画像が簡便に得られる。よって、インクを指先に塗布して紙に押し付けることによって採取する「押捺指紋」と非常に互換性があり、司法や警察用途などに利用されてきた。【０００３】
一方、近年、シリコン等の樹脂で偽造された指を用いたり、凹凸を有する半透明な指紋の偽造フィルムを本物の指の先端に貼り付けて他人に「なりすます」等の犯罪的行為が多くなっている。このような行為を見破るためには、指紋等の照合を行うためのコントラストの高いハイコントラスト画像に加え、偽造を見破るための目視に近い指の自然画像を取得し、目視で確認することが考えられる。【０００４】
そこで、指がプリズムに接触しない非接触方式で、肉眼で自然に見るのに近い指紋画像を取得して認証を行う認証装置が提案されている（例えば、特許文献２）。
【先行技術文献】
【特許文献】
【０００５】
【特許文献１】米国特許第６３８１３４７号公報
【特許文献２】特開２００３−０８５５３８号公報
【発明の概要】
【発明が解決しようとする課題】
【０００６】
ところで、従来のプリズムを使用した押捺指紋により多くのデータベースが作られており、継承性の観点から認証装置の画像に互換性を求める声が多くある。また、押捺指紋の画像のメリットには、遺留指紋との照合が行いやすいという利点もある。遺留指紋とは犯罪現場などに残された残留指紋であり、犯罪捜査の決め手となる場合などがあり、司法上も証拠として有用である。【０００７】
しかし、非接触方式のように、指をガラスに押し付けない状態で指紋を撮影する場合、指は柔軟であるため、ガラスに押し付けない状態とガラスに押し付ける状態とでは指の変形の度合いが異なり、非接触方式の指紋撮像と接触式の指紋画像とは異なる画像になる。【０００８】
従って、非接触方式による指紋等の撮影画像は、従来のプリズムを使用した押捺指紋と互換性がないという課題があった。また、司法などで利用される画像の目視による鑑定方法には、非接触方式の指紋撮像はコントラストが小さく、不適切な画像でもあった。【０００９】
一方、シリコン等の樹脂で偽造された指を用いたり、凹凸を有する半透明な指紋の偽造フィルムを本物の指の先端に貼り付けて他人に「なりすます」等の犯罪的行為を防止するため、照合の現場では、指の自然な画像の取得も照合時に必要とされている。【００１０】
そこで、本発明は上記課題に鑑みて発明されたものであって、その目的は、生体がプリズムに接触した状態で、照合するに十分なコントラストのあるハイコントラスト画像と、目視に近い生体の自然画像とを同時に撮像装置で取得できる認証装置、認証用プリズム体及び認証方法を提供することにある。
【課題を解決するための手段】
【００１１】
本発明は、プリズム体と、第１の撮像部と、生体に可視光を照射する可視光源とを有し、前記プリズム体は、生体と接触する生体接触面と、前記生体接触面に対向し、概平行となる位置に形成された撮像面と、前記生体接触面と前記撮像面とに接し、前記生体接触面で反射した光を前記撮像面に向けて全反射する反射面とを備え、前記反射面は、前記撮像面から前記反射面を経て前記生体接触面に到達する光路において、前記生体接触面にて前記プリズム体内からの光が全反射する角度に設けられ、前記第１の撮像部は、前記可視光源から照射された光が前記生体接触面に接触している生体に反射された生体反射光と、前記生体反射光が前記反射面に反射された反射面反射光とを撮像する認証装置である。【００１２】
本発明は、生体認証用のプリズム体であって、生体と接触する生体接触面と、前記生体接触面に対向し、概平行となる位置に形成された撮像面と、前記生体接触面と前記撮像面とに接し、前記生体接触面で反射した光を前記撮像面に向けて全反射する反射面とを備え、前記反射面は、前記撮像面から前記反射面を経て前記生体接触面に到達する光路において、前記生体接触面にて前記プリズム体内からの光が全反射する角度に設けられている生体認証用のプリズム体である。【００１３】
本発明は、生体と接触する生体接触面と、前記生体接触面に対向し、概平行となる位置に形成された撮像面と、前記生体接触面と前記撮像面とに接し、前記生体接触面で反射した光を前記撮像面に向けて全反射する反射面とを備え、前記反射面は、前記撮像面から前記反射面を経て前記生体接触面に到達する光路において、前記生体接触面にて前記プリズム体内からの光が全反射する角度に設けられているプリズム体の前記生体接触面に生体を接触させ、前記生体に可視光を照射し、前記撮像面を透過する、前記可視光源から照射された光が前記生体接触面に接触している生体に反射された生体反射光と、前記生体反射光が前記反射面に反射された反射面反射光とを撮像する認証方法である。
【発明の効果】
【００１４】
本発明によれば、生体がプリズムに接触した状態で、照合するに十分なコントラストのあるハイコントラスト画像と、目視に近い生体の自然画像とを同時にひとつの撮像装置で取得できる。
【図面の簡単な説明】
【００１５】
【図１】図１は本発明に係るプリズム１の構成を示す図である。
【図２】図２は本発明に係るプリズム１を説明する為の図である。
【図３】図３は本発明に係るプリズム１を説明する為の図である。
【図４】図４は本発明に係るプリズム１を説明する為の図である。
【図５】図５は本発明に係るプリズム１を説明する為の図である。
【図６】図６は第１の実施の形態における指紋認証装置の構成図である。
【図７】図７は撮像装置４により撮像されたハイコントラスト画像と自然画像の一例を示す図である。
【図８】図８は第２の実施の形態における認証装置の構成図である。
【図９】図９は第３の実施の形態における認証装置の構成図である。
【図１０】図１０は本発明に係るプリズム１を説明する為の図である。。
【発明を実施するための形態】
【００１６】
本発明の実施の形態を詳細に説明する。
【００１７】
まず、本発明に係るプリズムの原理を説明する。
【００１８】
図１は本発明に係る変形台形のプリズム１の構成を示す図である。図１中、１０は生体（例えば、指）と接触する生体接触面、１１は生体接触面１０に概平行に形成され、カメラ等の撮像装置が配置される側の面である撮像面であり、１２は生体接触面１０及び撮像面１１に接して形成された反射面であり、１３は反射面１２に対向した面である。
【００１９】
ここで、反射面１２は、撮像面１１から反射面１２を経て生体接触面１０に到達する光路において、生体接触面１０にてプリズム１内からの光が全反射する角度に設けられている。別の言い方をすると、空気層の屈折率とプリズム本体の屈折率との相違から空気層を介して生体接触面１０からプリズム本体に入射した光が反射面に届かず、かつ、生体接触面１０で反射された光は撮像面１１に向けて全反射する角度に設けられている。
【００２０】
次に、各光路について、図２から図５を用いて説明する。尚、以下の説明では、生体を指２の場合として説明するが、これに限られない。例えば、手のひらの掌紋認証にも用いることができる。また、本例では、プリズム１の下部側面側に可視光源３を設置し、照射光が生体接触面１０に設置された指２の谷線部及び隆線部により反射された光を撮像面１１の下部に設置された撮像装置４で撮影する場合を説明する。
【００２１】
可視光源３から照射された光は生体接触面１０に設置された指２の谷線部及び隆線部により反射される。
【００２２】
ここで、図２に示す如く、指２の隆線部は生体接触面１０と接触しているので、指２の隆線部により反射された光の屈折率はプリズム１（ガラス）の屈折率とほぼ同じである。よって、指２の隆線部により反射された光は生体接触面１０で反射された光と同様に考えることができ、プリズム１内のほぼ全方位に放射され、生体接触面１０より下側のすべての領域に達することができる。
【００２３】
一方、指２の谷線部は生体接触面１０とは接触しておらず、指２の谷線部と生体接触面１０との間には空気層がある。従って、指２の谷線部の反射光は、空気層を介して生体接触面１０を透過する。しかし、空気の屈折率は１．０、ガラスは１．３〜１．５、水分と皮膚は１．３〜１．４で屈折率に違いがあるため、指２の谷線部の反射光は指２の隆線部の反射光とは異なる屈折現象が生じるため、全方位に放射されず、プリズム１内の一定の範囲には谷線部の反射光は届かない。ここで、反射面１２は、撮像面１１から反射面１２を経て生体接触面１０に到達する光路において、生体接触面１０にてプリズム１内からの光が全反射する角度に設けられている。別の言い方をすると、反射面１２は、空気層から生体接触面１０を透過してプリズム１内に入射した光が届かない範囲にあり、かつ、生体接触面１０で反射された光は撮像面１１に向けて全反射する角度に設けられている。従って、図３に示す如く、指２の谷線部で反射されて空気層を介して生体接触面１０を透過した光は、反射面１２には届かず、生体接触面１０から反射面１２を経て撮像面１１に到達する谷線部の反射光はなく、生体接触面１０から直接撮像面１１に到達する反射光のみとなる。
【００２４】
次に、指２の隆線部の光路であるが、上述したように、指２の隆線部により反射された光は、プリズム１内のほぼ全方位に放射され、生体接触面１０より下側のすべての領域に達することができるので、図４に示す如く、撮像面１１に直接到達する光の光路があると共に、反射面１２により反射されて撮像面１１に到達する光の光路もある。
【００２５】
撮像装置４は、図５に示す如く、撮像面１１を透過した光を撮影するので、撮像面１１に透過した２種類の画像を撮影することになる。ひとつは、指２の隆線部の反射光が生体接触面１０から反射面１２を経て撮像面１１に到達する光路の画像である。この画像は、指２の隆線部の反射光のみによる画像となるので、指２の谷線部が暗く、指２の隆線部が明るいコントラストの高い指紋画像（以下、ハイコントラスト画像と記載する）となる。他のひとつは、生体接触面１０に設置された指２の谷線部及び隆線部により反射された反射光のうち、直接撮像面１１に到達する光路の画像である。この画像は生体接触面１０に設置された指２を撮像面１１から直視するものと同様な画像となるので、撮像装置４で撮影される画像は指２の自然な画像（以下、自然画像と記載する）となる。
【００２６】
上記のようなプリズム１を認証装置に用いることにより、図５に示す如く、一度の撮影で、撮像装置４はハイコントラスト画像と自然画像とを撮影することができる。
【００２７】
尚、自然画像は、偽か本物が判断できれば良いので必ずしも広い画像が取得できなくても良い。むしろ大きな画像で詳細に分析できた方が望ましい。本実施の形態におけるプリズム１を用いた指２の撮影では、自然画像を得る光路は、生体接触面１０から撮像面１１に直接至る光路であり、最短の光路であるので、偽造を見破るために十分な大きさの自然画像を得ることができる。
【００２８】
一方、ハイコントラスト画像は指紋照合に使用するので、特徴点が多く存在するように、より広いエリアの指紋画像を取得した方が望ましい。より広いエリアの指紋画像を取得するためには、生体接触面１０から撮像面１１に至る光路を長くする必要がある。本実施の形態におけるプリズム１を用いた指２の撮影では、ハイコントラスト画像を得る光路は、生体接触面１０から反射面１２を介して撮像面１１に至る光路であるので、特徴点が多く存在するような広いエリアの指紋画像を撮影するに十分な光路の長さを取ることができる。
【００２９】
以上の如く、本実施の形態のプリズムの構成により、偽造を見破るために十分な大きさの自然画像と特徴点が多く存在するような広いエリアの指紋画像とを一度に取得することができ、上述した双方の課題を同時に解決できる。
【００３０】
尚、面１３に黒色塗料を塗布、又は、面１３に黒板を張り付けることにより、ハイコントラスト画像のコントラストをより高めることもできる。
【００３１】
更に、反射面１２にミラーコートを施し、より反射率を高めるようにしても良い。
【００３２】
また、従来からある非接触方式の生体認証装置に、本発明のプリズム１を設置することにより、接触式と同様なハイコントラスト画像を取得でき、かつ、目視に近い自然画像も取得することができる。
また、上述した例では、撮像装置４を撮像面１１の下部に配置する場合を説明したが、撮像装置４の配置位置は撮像面１１の下部に限られない。例えば、認証装置が壁に設置される場合など、上述した例に対してプリズム１自体が９０度回転した位置に配置されるので、このような場合は、撮像面１１側から撮影できる位置（例えば、撮像面１１の横方向の位置）に撮像装置４を配置すれば良い。更に、図１０に示す如く、撮像面１１の下部に、撮像面１１を透過する光を反射するミラー４０を設け、ミラー４０に写った画像を撮像できるように撮像装置４を配置しても良い。このようにすれば、認証装置が壁に設置される場合など、認証装置の奥行き方向の大きさを小さくすることができる。
【００３３】
＜第１の実施の形態＞
第１の実施の形態を説明する。
【００３４】
図６は第１の実施の形態における指紋認証装置の構成図である。
【００３５】
第１の実施の形態における指紋認証装置では、上述したプリズム１は、生体接触面１０が装置上側に設けられて指２の指紋の載置面となる位置に設けられる。
【００３６】
そして、可視光源３がプリズム１の下部に配置される。可視光源３は、白色電球、ＬＥＤ等が考えられる。
【００３７】
また、プリズム１の撮像面１１側には、撮像面１１を介して、指紋の隆線部及び谷線部がはっきりとしたハイコントラスト画像と指の指紋部の自然画像とを撮像する撮像装置４が設けられている。撮像装置４は、入力された画像をデジタル信号に変換して出力するものであり、ＣＣＤ、あるいはＣＭＯＳ等からなるイメージセンサを使用することができる。
【００３８】
画像処理部５は、撮像装置４で撮像された画像を所定の画像形式に変換し、ハイコントラスト画像と自然画像とに分離し、ハイコントラスト画像は照合部６に出力され、自然画像は表示部７に出力される。尚、ハイコントラスト画像については、従来の三角プリズムと同様な台形歪が発生するので、その台形歪の補正も行う。
【００３９】
照合部６は、画像処理部５からハイコントラスト画像を受信し、指紋の照合を行う。指紋の照合方法は、従来からある照合方法を用いることができる。
【００４０】
表示部７は、画像処理部５から自然画像を受信し、自然画像を表示する。これにより、シリコン等の樹脂で偽造された指を用いたり、凹凸を有する半透明な指紋の偽造フィルムを指の先端に貼り付けることによって他人に「なりすます」等の犯罪的行為を確認できる。
【００４１】
次に、上述した生体認証装置の動作を説明する。
【００４２】
まず、認証に際して、指２を積載面であるプリズム１の生体接触面１０に設置する。
【００４３】
指２の指紋部位がプリズム１の生体接触面１０に設置された状態で、可視光源３が発光し、指２に対して撮影用の光が照射される。
【００４４】
可視光源３から照射された光は生体接触面１０に接触された指２の谷線部及び隆線部により反射される。
【００４５】
ここで、空気の屈折率は１．０に対して、ガラスは１．３〜１．５、水分と皮膚は１．３〜１．４で屈折率に違いがあるため、空気層を介してプリズム１内に進入する指２の谷線部の反射光は、反射面１２に到達することはできず、撮像面１１に到達するのは生体接触面１０から直接到来する反射光のみである。
【００４６】
一方、指２の隆線部の反射光はプリズム１内の全方位に広がり、反射面１２と撮像面１１とに向かう。これらのうち、反射面１２に向かった隆線部の反射光は反射面１２により全反射されて撮像面１１に向かう。すなわち、生体接触面１０反射面１２を経て撮像面１１に到達する光路である。
【００４７】
撮像装置４では、撮像する画像のひとつとして、生体接触面１０から反射面１２を経て撮像面１１に到達する光路の画像を撮像する。その撮影される画像は、指２の隆線部がハイライトとなるハイコントラスト画像である。
【００４８】
また、生体接触面１０に設置された指２の谷線部及び隆線部により反射された反射光のうち、直接撮像面１１に到達する光もある。この反射光は撮像面１１を透過して撮像装置４で撮影される。この反射光による画像は生体接触面１０に設置された指２を、撮像面１１を介して直視するものと同様な画像となるので、撮像装置４で撮影される画像は、指２の谷線部及び隆線部が共に撮像された自然画像となる。
【００４９】
撮像装置４は、プリズム１の撮像面１１を透過した光により、一度の撮影で、指２の指紋部のハイコントラスト画像及び自然画像を撮像する。撮像装置４により、撮影された画像の一例を図７に示す。図７からもわかるように、撮影画像の左側に指紋部位のハイコントラスト画像が撮影され、右側には指紋部位を含む指２の自然画像が撮影されている。自然画像とハイコントラスト画像とは、上述した光路の長さの相違により、自然画像の方がハイコントラスト画像に比べて大きく、偽造を見破るために十分な大きさの自然画像を得られていることが分かる。一方、ハイコントラスト画像は、特徴点が多く存在する広いエリアの指紋画像を得られていることが分かる。
【００５０】
画像処理部５は、撮像装置４で得られたハイコントラスト画像と自然画像とを分離し、ハイコントラスト画像について台形歪を補正後に照合部６に出力し、自然画像については表示部７に出力する。
【００５１】
照合部６は、ハイコントラスト画像から特徴量を抽出・照合を行うことにより、指紋の照合、認証を行う。
【００５２】
自然画像については表示部７に表示され、目視により、照合に際して偽造した指紋フィルムやテープなどを使用しているかを判別することができる。
【００５３】
このように、第１の実施の形態の認証装置は、偽造した指紋フィルムやテープなどを使用しているかを判別するための目視に近い自然画像と、指紋を照合するために用いられるコントラストの高い画像とを、１個の撮像装置で、一回の指の撮影により得ることができる。また、偽造を見破るために十分な大きさの自然画像を得られる。
【００５４】
＜第２の実施の形態＞
第２の実施の形態を説明する。
【００５５】
第２の実施の形態は、第１の実施の形態の構成に加えて、赤外光光源を設けて、指内部で散乱し、透過する光により、指の血管パターンを撮像する例を説明する。
【００５６】
図８は第２の実施の形態における認証装置の構成図である。図８に示すように、指２の下部に赤外光の赤外光源２０に追加し、指の血管パターンを撮像する血管撮像用の撮像装置２１を指２の下部の位置に設ける。
【００５７】
撮像装置２１は、近赤外光に感度を有する撮像装置であり指の血管を血液の酸化ヘモグロビンの吸収が良好に行われ、かつ生体色素に感度が小さい波長７００−１０００ｎｍの近赤外線像を撮像する撮像装置である。
【００５８】
第２の実施の形態では、白色光源である可視光源３と赤外光の赤外光源２０とを時間的に切り替えて撮影する。例えば、最初に白色光源である可視光源３を発光し、撮像装置４により、自然画像とハイコントラスト画像とを撮影する。次に、赤外光の赤外光源２０を発光し、撮像装置２１により、指の血管パターンを撮像する。また、その逆の順序で行っても良い。
【００５９】
第２の実施の形態によれば、第１の実施の形態の効果に加え、血流による拍動や皮下組織による画像の変化も観察でき、生体判別に使用してより高精度の生体判別を行うができる。
【００６０】
＜第３の実施の形態＞
第３の実施の形態を説明する。
【００６１】
第３の実施の形態は、第１の実施の形態に構成に加えて、赤外光の赤外光源２０を設け、赤外光による指の血管パターンと、ハイコントラスト画像及び自然画像とを、同時に撮像する例を説明する。
【００６２】
図９は第３の実施の形態における認証装置の構成図である。図９に示すように、指２の下部に赤外光の赤外光源２０に追加し、指の血管パターンを撮像する血管撮像用の撮像装置２１を指２の下部の位置に設ける。そして、第２の実施の形態と異なる所は、入射する光のうち可視光をカットして赤外光を通過する可視光カット赤外光通過フィルター３０を指２の下部と撮像装置２１との間に設ける。これにより、撮像装置２１には可視光がカットされ、赤外光のみが入射される。また、入射する光のうち赤外光をカットして可視光を通過する赤外光カットフィルター３１を撮像面１１と撮像装置４との間に設ける。これにより、撮像装置４には赤外光がカットされた可視光のみが入射される。
【００６３】
以上の構成によれば、可視光原である可視光源３と赤外光である赤外光源２０とを同時に発光させて、撮像装置４による自然画像とハイコントラスト画像との撮像と、撮像装置２１による指の血管パターンの撮像とを同時に行うことができ、１度の撮影で、自然画像及びハイコントラスト画像と指の血管パターンの画像とを同時に得ることができる。
【００６４】
また、指２の下部に設けられる赤外光カットフィルター３１により、認証装置内部にほこりやごみといった異物の侵入がなくなり、認証装置のメンテナンスも容易となる。
【００６５】
尚、上述した説明からも明らかなように、各部をハードウェアで構成することも可能であるが、コンピュータプログラムにより実現することも可能である。この場合、プログラムメモリに格納されているプログラムで動作するプロセッサによって、上述した各実施の形態と同様の機能、動作を実現させる。また、上述した実施の形態の一部の機能のみをコンピュータプログラムにより実現することも可能である。
【００６６】
また、上記の実施形態の一部又は全部は、以下の付記のようにも記載されうるが、以下には限られない。
【００６７】
（付記１）  プリズム体と、第１の撮像部と、生体に可視光を照射する可視光源とを有し、
前記プリズム体は、
生体と接触する生体接触面と、
前記生体接触面に対向し、概平行となる位置に形成された撮像面と、
前記生体接触面と前記撮像面とに接し、前記生体接触面で反射した光を前記撮像面に向けて全反射する反射面と
を備え、
前記反射面は、前記撮像面から前記反射面を経て前記生体接触面に到達する光路において、前記生体接触面にて前記プリズム体内からの光が全反射する角度に設けられ、
前記第１の撮像部は、前記可視光源から照射された光が前記生体接触面に接触している生体に反射された生体反射光と、前記生体反射光が前記反射面に反射された反射面反射光とを撮像する
認証装置。
【００６８】
（付記２）  前記プリズム体は、
前記生体接触面と前記撮像面とに概垂直に接し、前記反射面に対向する位置に形成された対向面を備え、
前記対向面の少なくとも一部には黒色が塗布又は黒板が備え付けられている
付記１に記載の認証装置。
【００６９】
（付記３）  前記反射面には、ミラーコートが施されている
付記１又は付記２に記載の認証装置。
【００７０】
（付記４）  前記生体に赤外光を照射する赤外光源と、
前記生体を透過した赤外光を撮像する第２の撮像部と
を備える付記１から付記３のいずれかに記載の認証装置。
【００７１】
（付記５）  前記第１の撮像部の前面に赤外光カットする可視光透過フィルターを配置し、
前記第２の撮像部の前面に可視光カットする赤外光透過フィルターを配置する
付記４に記載の認証装置。
【００７２】
（付記６）  前記生体反射光を撮像した画像が偽造確認用の自然画像であり、
前記反射面反射光を撮像した画像が生体認証用のコントラスト画像である
付記１から付記５のいずれかに記載の認証装置。
【００７３】
（付記７）  前記生体が人間の指である
付記１から付記６のいずれかに記載の認証装置。
【００７４】
（付記８）  生体認証用のプリズム体であって、
生体と接触する生体接触面と、
前記生体接触面に対向し、概平行となる位置に形成された撮像面と、
前記生体接触面と前記撮像面とに接し、前記生体接触面で反射した光を前記撮像面に向けて全反射する反射面と
を備え、
前記反射面は、前記撮像面から前記反射面を経て前記生体接触面に到達する光路において、前記生体接触面にて前記プリズム体内からの光が全反射する角度に設けられている
生体認証用のプリズム体。
【００７５】
（付記９）  前記プリズム体は、
前記生体接触面と前記撮像面とに概垂直に接し、前記反射面に対向する位置に形成された対向面を備え、
前記対向面の少なくとも一部には黒色が塗布又は黒板が備え付けられている
付記８に記載の生体認証用のプリズム体。
【００７６】
（付記１０）  前記反射面には、ミラーコートが施されている
付記８又は付記９に記載の生体認証用のプリズム体。
【００７７】
（付記１１）  生体と接触する生体接触面と、
前記生体接触面に対向し、概平行となる位置に形成された撮像面と、
前記生体接触面と前記撮像面とに接し、前記生体接触面で反射した光を前記撮像面に向けて全反射する反射面と
を備え、前記反射面は、前記撮像面から前記反射面を経て前記生体接触面に到達する光路において、前記生体接触面にて前記プリズム体内からの光が全反射する角度に設けられているプリズム体の前記生体接触面に生体を接触させ、
前記生体に可視光を照射し、
前記撮像面を透過する、前記可視光源から照射された光が前記生体接触面に接触している生体に反射された生体反射光と、前記生体反射光が前記反射面に反射された反射面反射光とを撮像する
認証方法。
【００７８】
（付記１２）  前記プリズム体は、
前記生体接触面と前記撮像面とに概垂直に接し、前記反射面に対向する位置に形成された対向面を備え、
前記対向面の少なくとも一部には黒色が塗布又は黒板が備え付けられている
付記１１に記載の認証方法。
【００７９】
（付記１３）  前記反射面には、ミラーコートが施されている
付記１１又は付記１２に記載の認証方法。
【００８０】
（付記１４）  前記生体に赤外光を照射し、
前記生体を透過した赤外光を撮像する
を備える付記１１から付記１３のいずれかに記載の認証方法。
【００８１】
（付記１５）  前記生体反射光と前記反射面反射光とを、赤外光カットする可視光透過フィルターが設けられた撮影装置で撮像し、
前記赤外光を、可視光カットする赤外光透過フィルターが設けられた撮影装置で撮像する
付記１４に記載の認証方法。
【００８２】
（付記１６）  前記生体反射光を撮像した画像が偽造確認用の自然画像であり、
前記反射面反射光を撮像した画像が生体認証用のコントラスト画像である
付記１１から付記１５のいずれかに記載の認証方法。
【００８３】
（付記１７）  前記撮像されたコントラスト画像の台形歪を画像処理により補正する
付記１１から付記１６のいずれかに記載の認証方法。
【００８４】
（付記１８）  前記生体が人間の指である
付記１１から付記１７のいずれかに記載の認証方法。
【００８５】
以上好ましい実施の形態をあげて本発明を説明したが、本発明は必ずしも上記実施の形態に限定されるものではなく、その技術的思想の範囲内において様々に変形し実施することが出来る。
【００８６】
本出願は、２０１３年１月３１日に出願された日本出願特願２０１３−０１６７４６号を基礎とする優先権を主張し、その開示の全てをここに取り込む。
【符号の説明】
【００８７】
１      プリズム
２      指
３      可視光源
４      撮像装置
５      画像処理部
６      照合部
７      表示部
１０    生体接触面
１１    撮像面
１２    反射面
１３    面
２０    赤外光源
２１    撮像装置
３０    可視光カット赤外光通過フィルター
３１    赤外光カットフィルター
４０    ミラー
【図１】
2014119503.tif 000003
【図２】
2014119503.tif 000004
【図３】
2014119503.tif 000005
【図４】
2014119503.tif 000006
【図５】
2014119503.tif 000007
【図６】
2014119503.tif 000008
【図７】
2014119503.tif 000009
【図８】
2014119503.tif 000010
【図９】
2014119503.tif 000011
【図１０】
2014119503.tif 000012
【国際調査報告】
2014119503.tif 000013
2014119503.tif 000014
2014119503.tif 000015
2014119503.tif 000016